(57)【要約】【課題】構造が簡単で、直線縫いだけで縫製することができ、家庭科の授業の教材として使用可能であり、収納物を廃棄することなく防災頭巾として使用可能な緊急持ち出し袋を提供する。【解決手段】幅寸法を共通として、第１の長さの外張り片１０と、第１の長さの略１／２の第２の長さの第１の内張り片２０と、第１の長さよりも短く第２の長さよりも長い第３の長さの第２の内張り片３０を備え、外張り片１０と第１内張り片２０を一方の端部に合わせて重ね合わせ、その上から、外張り片１０と第２内張り片３０を他方の端部に合わせて重ね合わせ、外張り片１０の外周に沿って長方形に縫い合わす。外張り片１０の中央部を折り曲げ線として第１内張り片２０及び第２内張り片３０を内側にして２つに折りたたみ、外張り片１０の幅方向の一方の端部近傍において、第１内張り片２０と第２内張り片３０をスナップ付き布テープ３Ａ及び３Ｂで結合する。【選択図】図１
2013141473.tif 000002
【特許請求の範囲】
【請求項１】
所定の幅及び第１の長さを有する外張り片と、
前記所定の幅及び前記第１の長さの略１／２の第２の長さを有する第１の内張り片と、
前記所定の幅及び前記第１の長さよりも短く、前記第２の長さよりも長い第３の長さを有する第２の内張り片を備え、
前記外張り片と前記第１内張り片を前記外張り片の長手方向の一方の端部に合わせて重ね合わせ、その上から、前記外張り片と前記第２内張り片を前記外張り片の長手方向の他方の端部に合わせて重ね合わせ、その状態で、前記外張り片の外周に沿って長方形に縫い合わすことによって、前記外張り片と前記第１内張り片及び前記第２内張り片が結合されると共にそれらの間に収納部が形成され、
前記外張り片の長手方向の中央部を折り曲げ線として前記第１内張り片及び前記第２内張り片を内側にして２つに折りたたまれ、
前記外張り片の幅方向の一方の端部近傍において、前記第１内張り片と前記第２内張り片とが着脱可能な結合部材によって結合されていることを特徴とする緊急持ち出し袋。
【請求項２】
前記外張り片の長手方向の両端から第４の長さだけ内側の箇所を幅方向に縫い合わせ、それによって前記外張り片の長手方向の両端部に保護カバー部が形成されていることを特徴とする請求項１に記載の緊急持ち出し袋。
【請求項３】
前記結合部材は、スナップ付き布テープであることを特徴とする請求項１又は請求項２に記載の緊急持ち出し袋。
【請求項４】
前記外張り片の幅方向の一方の端部近傍に吊り紐が設けられ、他方の端部近傍にあご紐が設けられていることを特徴とする請求項１乃至請求項３のいずれか一項に記載の緊急持ち出し袋。
【請求項５】
前記外張り片、前記第１内張り片及び前記第２内張り片の少なくともいずれか１つにポケットが設けられていることを特徴とする請求項１乃至請求項４のいずれか一項に記載の緊急持ち出し袋。
【発明の詳細な説明】
【技術分野】
【０００１】
本発明は、防災頭巾として使用可能な緊急持ち出し袋に関する。
【背景技術】
【０００２】
従来から、防災頭巾として使用可能な鞄や収納部を備えた防災頭巾などが提案されている。特許文献１には、防災頭巾に複数の収納部や収納袋を設け、下着類や緊急時に必要とするものをこれら収納部や収納袋に収納し、収納物を緩衝材として利用することが提案されている。しかしながら、この防災頭巾は、形状及び構造が複雑であり、ファスナーを取り付けたり、曲線縫いをしたりしなければならず、正確に仕上げるには熟練した技術を要する。そのため、例えば学校における家庭科の授業の教材としては適当ではない。
【０００３】
特許文献２には、防災頭巾としても使用できる防災用鞄が提案されているが、鞄の全周囲の約１／２にわたってファスナーが取り付けられており、形状及び構造が複雑であり、家庭科の授業の教材などとしては適当ではない。また、防災頭巾として使用する際には、鞄内の収納物を廃棄しなければならず、実用性が低い。
【０００４】
同様に、特許文献３にも防災頭巾としても使用できる防災用鞄が提案されている。これは、手提げ鞄を中央部から開いて頭部に載せるものであり、後頭部や首部を保護することはできない。また、鞄としての収納スペースが小さく、実用性が低い。さらに、鞄専門の業者でなければ製造は困難であると思われる。
【先行技術文献】
【特許文献】
【０００５】
【特許文献１】特開２０１１−２０８３２２号公報
【特許文献２】特開２００７−３７６０２号公報
【特許文献３】特開２００７−８２８８４号公報
【発明の概要】
【発明が解決しようとする課題】
【０００６】
本発明は、上記従来例の問題を解決するためになされたものであり、構造がきわめて簡単であり、直線縫いだけで縫製することができ、家庭科の授業の教材としても使用可能であり、さらに、収納物を廃棄することなく防災頭巾として使用可能な緊急持ち出し袋を提供することを目的とする。
【課題を解決するための手段】
【０００７】
上記目的を達成するため、本発明に係る緊急持ち出し袋は、
所定の幅及び第１の長さを有する外張り片と、
前記所定の幅及び前記第１の長さの略１／２の第２の長さを有する第１の内張り片と、
前記所定の幅及び前記第１の長さよりも短く、前記第２の長さよりも長い第３の長さを有する第２の内張り片を備え、
前記外張り片と前記第１内張り片を前記外張り片の長手方向の一方の端部に合わせて重ね合わせ、その上から、前記外張り片と前記第２内張り片を前記外張り片の長手方向の他方の端部に合わせて重ね合わせ、その状態で、前記外張り片の外周に沿って長方形に縫い合わすことによって、前記外張り片と前記第１内張り片及び前記第２内張り片が結合されると共にそれらの間に収納部が形成され、
前記外張り片の長手方向の中央部を折り曲げ線として前記第１内張り片及び前記第２内張り片を内側にして２つに折りたたまれ、
前記外張り片の幅方向の一方の端部近傍において、前記第１内張り片と前記第２内張り片とが着脱可能な結合部材によって結合されていることを特徴とする。
【０００８】
また、前記外張り片の長手方向の両端から第４の長さだけ内側の箇所を幅方向に縫い合わせ、それによって前記外張り片の長手方向の両端部に保護カバー部が形成されていることが好ましい。
【０００９】
前記結合部材は、スナップ付き布テープであることが好ましい。
【００１０】
前記外張り片の幅方向の一方の端部近傍に吊り紐が設けられ、他方の端部近傍にあご紐が設けられていることが好ましい。
【００１１】
前記外張り片、前記第１内張り片及び前記第２内張り片の少なくともいずれか１つにポケットが設けられていることが好ましい。
【発明の効果】
【００１２】
上記緊急持ち出し袋によれば、長方形の布片である外張り片、第１内張り片及び第２内張り片など、きわめて簡単な形状及び構造で、且つ、少ない部品数で構成されており、いずれもミシンによる直線縫いによって縫製することができる。そのため、家庭科の授業の教材としても使用可能である。また、材料費も安価である。さらに、収納部に収容された収納物、例えば毛布、タオル、ペットボトル入り飲料水などを緩衝材として使用することができ、収納物を廃棄することなく、防災頭巾として使用することができる。
【図面の簡単な説明】
【００１３】
【図１】本発明の一実施形態に係る緊急持ち出し袋の外観構成を示す図であり、（ａ）は折りたたんだ状態、（ｂ）は展開した状態を示す。
【図２】上記緊急持ち出し袋を縫製する前の部品の状態を示す図。
【図３】毛布又はタオルを収納部に収納しようとしている状態を示す図。
【図４】緊急持ち出し袋を防災頭巾として使用する例を示す図であり、（ａ）は前よりから見た図、（ｂ）は後よりから見た図である。
【図５】上記緊急持ち出し袋の変形例を示す図であり、（ａ）は緊急持ち出し袋の外面ポケットを設けた例を示し、（ｂ）は緊急持ち出し袋の内面にポケットを設けた例を示す。
【発明を実施するための形態】
【００１４】
本発明の一実施の形態に係る緊急持ち出し袋について説明する。図１は、本実施形態に係る緊急持ち出し袋１の外観構成を示す図であり、（ａ）は折りたたんだ状態、（ｂ）は展開した状態を示す。また、図２は、緊急持ち出し袋１を縫製する前の部品の状態を示す。なお、各図中、太い破線はミシンによる縫い目を表す。また、図１（ａ）において、細い破線は表面に見えていない部品を表し、図１（ｂ）において、中央の細い一点鎖線５１は、緊急持ち出し袋１を折りたたむときの折り曲げ線を（中心線）を表す。さらに、各図面及び以下の説明において、布の端面が解れないようにするための縫い代及びそれを折り返す作業は省略している。
【００１５】
図１（ａ）に示すように、この緊急持ち出し袋１は、折りたたんだ状態では、正方形又は長方形の正面形状を有しており、収納部に毛布やタオルなどを収納すれば、座布団又は背もたれクッションとして使用することができる。また、緊急持ち出し袋１の上部には、長さ調節が可能な吊り紐２が取り付けられており、持ち歩く際の又は椅子の肘掛けなどに吊り下げるためのハンドルとして機能する。図１（ｂ）に示すように、緊急持ち出し袋１を展開すると、横長の長方形状を有している。なお、図１（ａ）では、後述する保護カバー部７を内側に折りたたんだ状態で、さらに緊急持ち出し袋１を２つ折りにしている。
【００１６】
図２に示すように、この緊急持ち出し袋１は、基本的に外張り片１０と、第１内張り片２０と、第２内張り片３０の３つの部品で構成されている。また、あらかじめ、外張り片１０には上記吊り紐２が縫いつけられている。また、第１内張り片２０には、スナップ付きテープ３Ａ及び防災頭巾として使用する際のあご紐５が縫いつけられている。また、あご紐５の一端には後述する面ファスナー６Ａと対を成す面ファスナー６Ｂが縫いつけられている。同様に、第２内張り片３０には、スナップ付きテープ３Ｂ及び防災頭巾として使用する際にあご紐５の面ファスナー６Ｂを止めるための面ファスナー６Ａが縫いつけられている。これら吊り紐２、スナップ付きテープ３Ａ及び３Ｂ、あご紐５、面ファスナー６Ａ及び６Ｂなどは、いずれもミシンによる直線縫いによって縫いつけることができる。
【００１７】
外張り片１０は所定の幅Ｗ（例えば、３０〜５０ｃｍ）及び第１の長さＬ１（例えば、９０〜１５０ｃｍ）を有している。一方、第１内張り片２０は、所定の幅Ｗ及び第１の長さＬ１の略１／２の第２の長さｌ２を有している。第２内張り片３０は、所定の幅Ｗ及び第１の長さＬ１よりも短く、第２の長さＬ２よりも長い第３の長さＬ３を有している。外張り片１０と第１内張り片２０の幅方向の端部１３と２３及び１４と２４をそれぞれ合わせ、第１の内張り片２０の長手方向右側の第１端部２１を外張り片１０の長手方向右側の第１の端部１１に合わせるようにして、両者を重ね合わせる。さらにその上から、外張り片１０と第２内張り片３０の幅方向の端部１３と３３及び１４と３４をそれぞれ合わせ、第２の内張り片３０の長手方向左側の第２端部３２を外張り片１０の長手方向左側の第２の端部１２に合わせるようにして、三者を重ね合わせる。その状態で、図１（ｂ）に示す縫い目５３に沿って、ミシンを用いて外張り片１０の外周に沿って長方形に縫い合わせる。そうすると、これら外張り片１０、第１内張り片２０及び第２内張り片３０が結合され、袋が完成する。さらに、図１（ｂ）に示す縫い目５４及び５５に沿って、外張り片の長手方向の両端から第４の長さだけ内側の２箇所を、ミシンを用いて幅方向に縫い合わせる。その結果、この緊急持ち出し袋１の長手方向の両端部に、何も収納することのできない保護カバー部７が形成され、中央部に袋状の収納部８が形成される。収納部８の中央部では、第２内張り片３０が第１内張り片２０の上に重なっており、収納部８の内部の収納物が不用意に脱落しないように構成されている。
【００１８】
図３は、例えば毛布又はタオルを収納部８に収納しようとしている状態を示す。収納部８に物品を収納するには、第２内張り片３０の長手方向右側の第１端部３１（図２参照）を持ち上げ、第１内張り片２０と第２内張り片３０の重なり部分の開口５２（図１（ｂ）参照）を拡げる。そして、図３に示すように、その開口５２から収納物を収納部８に挿入すればよい。なお、毛布やタオルなど、収納物の長手方向寸法及び幅方向寸法が、収納部８の長手方向寸法及び幅方向寸法以下であれば収納部８に収納できることはいうまでもない。
【００１９】
このように、本実施形態に係る緊急持ち出し袋１は、３枚の長方形の布片である外張り片１０、第１内張り片２０及び第２内張り片３０と、吊り紐２と、スナップ付きテープ３Ａ及び３Ｂ、あご紐５、面ファスナー６Ａ及び６Ｂという、きわめて簡単な形状及び構造で、且つ、少ない部品数で構成されており、いずれもミシンによる直線縫いによって縫製することができる。そのため、家庭でも手軽に縫い上げることができるし、家庭科の授業の教材としても使用可能である。また、材料費も安価である。
【００２０】
図４は、上記緊急持ち出し袋１を防災頭巾として使用する例を示す。図４中、（ａ）は前よりから見た図、（ｂ）は後よりから見た図である。なお、吊り紐２の図示を省略している。緊急持ち出し袋１を防災頭巾として使用する場合、特別な操作は不要であり、図１（ａ）に示す底部を開き、面ファスナー６Ａと６Ｂを外し、あご紐５を引き出す。そして、スナップ付きテープ３Ａ及び３Ｂを嵌め合わせたまま、スナップ付きテープ３Ａ及び３Ｂ側を後頭部に、図１（ｂ）に示す折り曲げ線５１を頭頂部に、それぞれあわせて被る。そして、あご紐５をあご下に引っかけ、面ファスナー６Ａと６Ｂを貼り合わせる。このように、この緊急持ち出し袋１によれば、収納物を廃棄することなく防災頭巾として使用することができる。さらに、毛布やタオルなどの収納物を緩衝材として使用することができる。
【００２１】
図５は、上記緊急持ち出し袋１の変形例を示す。図５（ａ）は、緊急持ち出し袋１の外面、すなわち、外張り片１０にポケット６０を設けた例を示す。また、図５（ｂ）は、緊急持ち出し袋１の内面、すなわち、第１内張り片２０にポケット６１を設けた例を示す。このような緊急持ち出し袋１のユーザには、様々な人々が含まれる。例えば、持病を持っている人であれば、すぐに治療薬を取り出せるようにしておかなければならない。また、負傷して病院に運び込まれた場合にも、治療に使える医薬品の制限を受ける場合がある。従って、そのような治療薬や処方箋をこれらのポケット６０又は６１に入れておけば、災害時にも有効である。さらに、幼児や身障者、痴呆症患者などのように、自分の身元を表現できない場合もある。そのような場合、住所や氏名、連絡先などをこれらのポケット６０又は６１に入れておくことも有効である。なお、ポケットは、外張り片１０、第１内張り片２０及び第２内張り片３０の少なくともいずれか１つに設けられていればよく、複数箇所に設けられていてもよい。
【００２２】
なお、本発明は、上記実施形態の説明に限定されるものではなく、発明の趣旨を逸脱しない範囲で様々な変形が可能である。例えば、上記スナップ付きテープ３Ａ及び３Ｂの代わりに面ファスナーや個別のスナップなどを用いることも可能である。また、ユーザの体型などに合わせて、様々なサイズに変形することも可能である。さらに、外張り片１０、第１内張り片２０、第２内張り片３０等の材質も特に限定されず、ミシンにより縫製可能なものであればよい。さらに、緩衝材としてフェルトや綿などを外張り片１０と第１内張り片２０及び第２内張り片３０の間に挟んでもよい。さらに、収納部８の内側に、個別のポケットを設けてもよいし、あるいは、特定の収納物を固定する紐などを取り付けてもよい。また、収納物も、毛布やタオルなどに限定されず、ペットボトル入りの飲料水、懐中電灯、笛、保存食品、スリッパなど、ユーザが任意に選択できることはいうまでもない。例えば、防災頭巾として使用する際に、頭頂部付近に当接する場所にペットボトル入りの飲料水を２本並行に固定しておけば、それらペットボトルを緩衝材として頭頂部を保護することが可能である。
【符号の説明】
【００２３】
１  緊急持ち出し袋
２  吊り紐
３Ａ、３Ｂ  スナップ付きテープ（結合部材）
５  あご紐
６Ａ、６Ｂ  面ファスナー
７  保護カバー部
８  収納部
１０  外張り片
２０  第１内張り片
３０  第２内張り片
５１  折り曲げ線を（中心線）
５２  開口
５３、５４、５５  縫い目
６０、６１  ポケット
【図１】
2013141473.tif 000003
【図２】
2013141473.tif 000004
【図３】
2013141473.tif 000005
【図４】
2013141473.tif 000006
【図５】
2013141473.tif 000007